(57)【要約】【課題】  顧客に対して宣伝広告するための広告情報を表示できる大きな面積を有するチラシと、配送依頼する際に使用する配送伝票と、を一体化させた状態で、顧客に配布できるようにして、顧客に多くの広告情報を提供できるようにすると共に、顧客が配送の依頼を希望する際にも、直ぐに配送依頼を行なえるようにしたチラシ付き配送伝票セットを提供する。【解決手段】  広告が表示されたチラシ用紙本体と、前記チラシ用紙本体上に配置され、最下位の配送伝票用紙の一部において、前記チラシ用紙本体上から剥離可能な状態で接着された複数の配送伝票用紙が綴り合わされた配送伝票セットと、を備えることを特徴とする。【選択図】        図１
2009248382.tif 000002
【特許請求の範囲】
【請求項１】
広告が表示されたチラシ用紙本体と、
前記チラシ用紙本体上に配置され、最下位の配送伝票用紙の一部において、前記チラシ用紙本体上から剥離可能な状態で接着された、複数の配送伝票用紙が綴り合わされた配送伝票セットと、
を備えることを特徴とするチラシ付き配送伝票セット。
【請求項２】
請求項１記載のチラシ付き配送伝票セットにおいて、
前記チラシ用紙本体の大きさが、前記配送伝票セットの大きさの少なくとも２倍以上の大きさを有し、
前記配送伝票セットは、前記チラシ用紙本体の中央部から２つに折り畳まれた際に、折り畳まれた片側の紙片上に接着されていることを特徴とするチラシ付き配送伝票セット。
【請求項３】
請求項１記載のチラシ付き配送伝票セットにおいて、
前記チラシ用紙本体の大きさが、前記配送伝票セットの大きさの少なくとも３倍以上の大きさを有し、
前記配送伝票セットは、前記チラシ用紙本体を等間隔で３つに折り畳まれた際に、折り畳まれた３紙片の中央に位置する紙片上に接着されていることを特徴とするチラシ付き配送伝票セット。
【請求項４】
請求項１から請求項３までのいずれか１項に記載のチラシ付き配送伝票セットにおいて、
前記チラシ用紙本体の上面には、前記配送伝票セットと接着させる領域に接着剤が設けられ、前記接着剤に接着される前記最下位の配送伝票用紙の裏面の領域には、前記接着剤から剥離可能にするための剥離層が設けられていることを特徴とするチラシ付き配送伝票セット。
【発明の詳細な説明】
【技術分野】
【０００１】
本発明は、顧客に対して宣伝広告するための広告情報が表示されたチラシを、配送伝票と共に一体化させた状態として、顧客に配布できるようにしたチラシ付き配送伝票セットに関する。
【背景技術】
【０００２】
従来、配送業者が顧客に宣伝広告を行なう場合には、広告情報を印刷表示させたチラシを作成して配布を行なったり、また、配送伝票の一部にそれらの広告情報を印刷表示させるなどしている。
これらの広告方法については、種々の方法が既に公開されている。（例えば、特許文献１〜４参照）
【０００３】
【特許文献１】特開２００１−２４６８７６号公報
【特許文献２】特開２００６−６２２９５号公報
【特許文献３】特開２００７−１５１７１号公報
【特許文献４】特開２００７−２９０２７７号公報
【０００４】
しかしながら、チラシの配布による広告を行なった場合には、顧客が配送の依頼を配送業者に行なう際に、新たに配送伝票の入手の手配を行なわなければならず、直ぐに配送の手続きができないという問題がある。
また、配送伝票の一部に広告情報を印刷表示した場合には、広告情報を表示できる領域が狭いことで、多くの広告情報を掲載できないという問題がある。
更に、近年における宅配便の発展により、多くの顧客が宅配便の利用を行なうことから、運送会社の窓口に限らず、コンビニエンスストアーなどにも顧客が自由に持っていける状態で配送伝票が置いてある。
したがって、配送伝票は、有力な広告媒体としても用いられる可能性があるが、広告表示領域の制約からも、広告媒体として配送伝票が生かしきれていないという問題がある。
【発明の開示】
【発明が解決しようとする課題】
【０００５】
そこで、本発明は、顧客に対して宣伝広告するための広告情報を表示できる大きな面積を有するチラシと、配送依頼する際に使用する配送伝票と、を一体化させた状態で、顧客に配布できるようにして、顧客に多くの広告情報を提供できるようにすると共に、顧客が配送の依頼を希望する際にも、直ぐに配送依頼を行なえるようにしたチラシ付き配送伝票セットを提供する。
【課題を解決するための手段】
【０００６】
本発明のチラシ付き配送伝票セットは、広告が表示されたチラシ用紙本体と、前記チラシ用紙本体上に配置され、最下位の配送伝票用紙の一部において、前記チラシ用紙本体上から剥離可能な状態で接着された複数の配送伝票用紙が綴り合わされた配送伝票セットと、を備えることを特徴とする。
【０００７】
また、本発明のチラシ付き配送伝票セットは、前記チラシ用紙本体の大きさが、前記配送伝票セットの大きさの少なくとも２倍以上の大きさを有し、前記配送伝票セットは、前記チラシ用紙本体の中央部から２つに折り畳まれた際に、折り畳まれた片側の紙片上に接着されていることを特徴とする。
【０００８】
更に、本発明のチラシ付き配送伝票セットは、前記チラシ用紙本体の大きさが、前記配送伝票セットの大きさの少なくとも３倍以上の大きさを有し、前記配送伝票セットは、前記チラシ用紙本体を等間隔で３つに折り畳まれた際に、折り畳まれた３紙片の中央に位置する紙片上に接着されていることを特徴とする。
【０００９】
また、本発明のチラシ付き配送伝票セットは、前記チラシ用紙本体の上面には、前記配送伝票セットと接着させる領域に接着剤が設けられ、前記接着剤に接着される前記最下位の配送伝票用紙の裏面の領域には、前記接着剤から剥離可能にするための剥離層が設けられていることを特徴とする。
【発明の効果】
【００１０】
上記のように、本発明のチラシ付き配送伝票セットは、チラシ用紙本体上に、配送伝票セットが剥離可能な状態で接着されているので、顧客に対して多くの広告情報を提供できると共に、顧客が配送の依頼を希望する際にも、直ぐに配送伝票セットを使用して配送依頼の申し込みを行なえるという効果がある。
【発明を実施するための最良の形態】
【００１１】
以下、本発明の実施形態に係るチラシ付き配送伝票セットを、図面に基づいて詳細に説明する。
図１から図５には、本発明の第１実施形態に係るチラシ付き配送伝票セット１に関する図面が示されている。
図１には、本発明の第１実施形態に係るチラシ付き配送伝票セット１の斜視図が示されている。
図１に示されているように、第１実施形態に係るチラシ付き配送伝票セット１は、広告２が表示されたチラシ用紙本体３と、そのチラシ用紙本体３の上側に配置された配送伝票セット４と、を備えている。
配送伝票セット４は、複数の配送伝票用紙４ａ，４ｂ，４ｃが、それぞれ一端部分で接着剤６ａ，６ｂにより接着された状態で綴り合わされ、また、各配送伝票用紙４ａ，４ｂ，４ｃには、使用時に切り取るための切り取りミシン５ａ，５ｂ，５ｃが形成されている。
この第１実施形態においては、３枚の配送伝票用紙４ａ，４ｂ，４ｃを有する配送伝票セットが示されているが、配送伝票用紙の枚数は任意に定めことができ、従来から使用されている配送伝票セットを用いることができる。
【００１２】
図２には、図１のＡ−Ａ線断面図が示されているが、チラシ用紙本体３の上側に設けられた配送伝票セット４は、配送伝票セット４を構成する配送伝票用紙のうち、最下位の配送伝票用紙４ｃの一部において、チラシ用紙本体３上から剥離可能な状態で接着されている。
配送伝票セット４を、チラシ用紙本体３上から剥離可能な状態で接着させるための構成として、チラシ用紙本体３上の配送伝票セット４を配置させる領域の一部分に、接着剤７が塗布させてある。
この接着剤７を塗布する部分は、配送伝票セット４を配置させた場合に、配送伝票セット４の接着剤６ａ，６ｂにより接着され綴り合わされている部分となる位置となるようにすることが好ましい。
これは、配送伝票セット４の接着剤６ａ，６ｂにより接着され綴り合わされている部分に配送伝票セット４を配置させることで、チラシ付き配送伝票セット１を持ち上げた際などに、配送伝票セット４が移動して、使用しにくくなるなどの不便を回避させることができる。
【００１３】
チラシ用紙本体３の上面には、配送伝票セット４の最下位の配送伝票用紙４ｃと接着させる領域に接着剤７が設けられているが、また、その接着剤７に接着される配送伝票セット４の最下位の配送伝票用紙４ｃの裏面の領域には、チラシ用紙本体３の上面に塗布された接着剤７から剥離可能にするための剥離層８が設けられている。
【００１４】
図３には、配送伝票セット４の最下位の配送伝票用紙４ｃの裏面側の平面図が示されているが、配送伝票用紙４ｃの裏面側に設けられた剥離層８は、配送伝票用紙４ｃに形成された切り取りミシン５ｃを含む領域に帯状に設けられている。
チラシ用紙本体３の上面の接着剤７が直接に配送伝票用紙４ｃと接着しないようにするために、配送伝票用紙４ｃに設けられた剥離層８の領域は、チラシ用紙本体３の上面の接着剤７の塗布領域よりも大きな領域となるようにすることが好ましい。
【００１５】
配送伝票セット４は、チラシ用紙本体３の上面に設けられた接着剤７に対して、剥離層８で剥離可能に接着状態となっているので、顧客が配送伝票セット４を使用して宅配の依頼を行う場合に、チラシ用紙本体３の上面から配送伝票セット４を引っ張ることで、チラシ用紙本体３から配送伝票セット４を分離させて、配送伝票セット４に必要情報を記入して配送の依頼を行なうことができる。
【００１６】
チラシ用紙本体３に表裏面には、種々の内容の広告を印刷などで表示させてあり、配送伝票セット４を剥離させた後にも広告が見られるように、送伝票セット４が貼付されている部分にも広告を表示することができる。
これらの広告は、配送伝票セット４を使用して宅配サービスを行う業者の広告に限らず、各種業界の宣伝広告を表示させて、広告料金を徴収するなどの広告媒体としても利用することができる。
このように、チラシ用紙本体３の大きさは、配送伝票用紙４ａ，４ｂ，４ｃの大きさの少なくとも２倍以上の大きさを有しており、配送伝票セット４は、チラシ用紙本体３の中央部から２つに折り畳まれた際に、折り畳まれた片側の紙片上に接着されている。
尚、チラシ用紙本体３の中央部に、２つに折り畳むための折り畳み用ミシンを形成するようにしてもよい。
【００１７】
図４には、チラシ用紙本体３をその中央部から２つに折り畳んだ状態が示されているが、チラシ用紙本体３の大きさは、配送伝票用紙４ａ，４ｂ，４ｃの大きさの少なくとも２倍以上の大きさを有している。
そして、チラシ用紙本体３の中央に表示された折り畳み予定線９から、チラシ用紙本体３を２つに折り畳むことで、配送伝票セット４がチラシ用紙本体３に包まれた状態となり、この状態で、店舗などで顧客に配布することができるようになっている。
折り畳み予定線９は、折り畳みしやすいようにするためにミシン目で形成してもよい。
また、図５には、２つに折り畳まれたチラシ用紙本体３を開いて、配送伝票セット４をチラシ用紙本体３から剥離させた状態が示されており、簡単に配送伝票セット４を分離させて使用できる構成になっている。
【００１８】
次に、本発明の第２実施形態に係るチラシ付き配送伝票セット１１を、図６、図７に基づいて説明する。
図６には、本発明の第２実施形態に係るチラシ付き配送伝票セット１１の斜視図が示されている。
第２実施形態に係るチラシ付き配送伝票セット１１は、図６に示すように、チラシ用紙本体１２の大きさが、配送伝票セット４の大きさの少なくとも３倍以上の大きさを有している。
チラシ用紙本体１２には、チラシ用紙本体１２の長手方向に対して３等分する位置に折り畳み予定線１３ａ，１３ｂとしてミシン目が形成されている。
尚、折り畳み予定線１３ａ，１３ｂは、印刷で表示させてもよい。
そして、配送伝票セット４は、チラシ用紙本体１２を折り畳み予定線１３ａ，１３ｂから３つに折り畳まれた際に、折り畳まれた３紙片の中央に位置する紙片上に剥離可能に接着されている。
【００１９】
第２実施形態に係るチラシ付き配送伝票セット１１は、図７に示すように、チラシ用紙本体１２を折り畳み予定線１３ａ，１３ｂから観音折りして３つに折り畳むことで、配送伝票セット４を包み込んだ状態として、顧客に配布できるようにしてある。
【００２０】
次に、本発明の第３実施形態に係るチラシ付き配送伝票セット２１を、図８、図９に基づいて説明する。
図８には、本発明の第３実施形態に係るチラシ付き配送伝票セット２１の斜視図が示されている。
第３実施形態に係るチラシ付き配送伝票セット２１は、図８に示すように、チラシ用紙本体１２の大きさが、配送伝票セット４の大きさの少なくとも３倍以上の大きさを有している。
チラシ用紙本体２２には、チラシ用紙本体２２の長手方向に対して３等分する位置に折り畳み予定線２３ａ，２３ｂとしてミシン目が形成されている。
尚、折り畳み予定線２３ａ，２３ｂは、印刷で表示させてもよい。
そして、配送伝票セット４は、チラシ用紙本体２１を折り畳み予定線２３ａ，２３ｂから３つに折り畳まれた際に、折り畳まれた３紙片の一方端に位置する紙片上に剥離可能に接着されている。
【００２１】
第３実施形態に係るチラシ付き配送伝票セット２１は、図９に示すように、チラシ用紙本体２２を折り畳み予定線２３ａ，２３ｂから３つに折り畳むことで、小さなサイズとして顧客に配布できるようにしてある。
第３実施形態に係るチラシ付き配送伝票セット２１では、チラシ用紙本体２２を折り畳み予定線２３ａ，２３ｂから折り畳む際に、種々の折り方をすることができる。
例えば、図９に示す折り方では、配送伝票セット４が外側から見ることができる状態となるように、チラシ用紙本体２２を丸めて折り畳んである。
【００２２】
また、その他の折り方としては、配送伝票セット４が内側となるようにチラシ用紙本体２２を丸めて折り畳む方法や、チラシ用紙本体２２をＺ字状となるように折り畳む方法などがあり、それらの折り方を使用者が任意に選択できる。
【００２３】
また、本発明のチラシ付き配送伝票セットは、上記の実施形態に限らず、チラシ用紙本体の大きさを配送伝票セット４の２倍や３倍以上の大きさとしたり、折り畳み用の折り畳み予定線を２箇所や３箇所以上に設けることで、チラシ用紙本体を３回以上に折り畳めるようにしてもよい。
【図面の簡単な説明】
【００２４】
【図１】本発明の第１実施形態に係るチラシ付き配送伝票セットの斜視図である。
【図２】図１のＡ−Ａ線断面図である。
【図３】本発明の第１実施形態に係るチラシ付き配送伝票セットに係り、配送伝票セットの最下位の配送伝票用紙の裏面側の平面図である。
【図４】本発明の第１実施形態に係るチラシ付き配送伝票セットのチラシ用紙本体を２つに折り畳んだ状態を示す斜視図である。
【図５】本発明の第１実施形態に係るチラシ付き配送伝票セットから、配送伝票セットを剥離させた状態を示す斜視図である。
【図６】本発明の第２実施形態に係るチラシ付き配送伝票セットの斜視図である。
【図７】本発明の第２実施形態に係るチラシ付き配送伝票セットのチラシ用紙本体を３つに折り畳んだ状態を示す斜視図である。
【図８】本発明の第３実施形態に係るチラシ付き配送伝票セットの斜視図である。
【図９】本発明の第３実施形態に係るチラシ付き配送伝票セットのチラシ用紙本体を３つに折り畳んだ状態を示す斜視図である。
【符号の説明】
【００２５】
１  第１実施形態に係るチラシ付き配送伝票セット
２  広告
３，１２，２２  チラシ用紙本体
４  配送伝票セット
４ａ，４ｂ，４ｃ  配送伝票用紙
５ａ，５ｂ，５ｃ  切り取りミシン
６ａ，６ｂ  接着剤
７  接着剤
８  剥離層
９，１３ａ，１３ｂ，２３ａ，２３ｂ  折り畳み予定線
１１  第２実施形態に係るチラシ付き配送伝票セット
２１  第３実施形態に係るチラシ付き配送伝票セット
【図１】
2009248382.tif 000003
【図２】
2009248382.tif 000004
【図３】
2009248382.tif 000005
【図４】
2009248382.tif 000006
【図５】
2009248382.tif 000007
【図６】
2009248382.tif 000008
【図７】
2009248382.tif 000009
【図８】
2009248382.tif 000010
【図９】
2009248382.tif 000011